(57)【要約】【課題】円形刃の刃振れを抑制するとともに、円形刃のテープロール本体側への切り込み傾斜角を小さくできるようにすることである。【解決手段】回転可能な刃軸３８を刃物台２０の一対の軸支持部材３７に軸受３９ａ、３９ｂで両持ち支持し、この両持ち支持した一対の軸受３９ａ、３９ｂの間で、円形刃２１を刃軸３８に取り付けることにより、刃軸３８の振れや撓みを防止し、円形刃２１の刃振れを抑制するとともに、円形刃２１のテープロール本体側への切り込み傾斜角を小さくできるようにした。【選択図】図３
2013006234.tif 000002
【特許請求の範囲】
【請求項１】
片面または両面に粘着層を形成した広幅の粘着テープが巻芯に巻き取られた粘着テープロールを回転可能に取り付けるテープロール支持装置と、中心孔を有する円形刃に回転可能な刃軸を嵌挿して円形刃を取り付けた刃物台とからなり、前記粘着テープロールおよび前記円形刃の少なくとも一方を回転駆動して、前記円形刃を取り付けた刃物台を、前記粘着テープロールに向けてその軸方向と直角方向から前進させ、前記円形刃を粘着テープロールの胴部の所定の切断位置に押し付けて、前記粘着テープロールを輪切り状に切断する粘着テープロールの切断装置において、前記回転可能な刃軸を前記刃物台に一対の軸受で両持ち支持し、この両持ち支持した一対の軸受の間で、前記円形刃を刃軸に取り付けたことを特徴とする粘着テープロールの切断装置。
【請求項２】
前記円形刃を、前記粘着テープロールに向けて前進する刃物台に、その前進を案内する中心線上で取り付けた請求項１に記載の粘着テープロールの切断装置。
【請求項３】
前記一対の軸受の間で円形刃を刃軸に取り付ける手段が、前記刃軸を少なくとも一方の軸受から抜き取り可能とし、この一方の軸受から刃軸を抜き取った状態で、前記円形刃を前記一対の軸受の間にセットし、こののち、前記抜き取った刃軸を前記円形刃の中心孔に嵌挿して、前記一方の軸受に再挿入するものである請求項１または２に記載の粘着テープロールの切断装置。
【発明の詳細な説明】
【技術分野】
【０００１】
本発明は、粘着テープロールを輪切り状に切断する粘着テープロールの切断装置に関する。
【背景技術】
【０００２】
片面または両面に粘着層を形成した粘着テープは、広幅の状態で紙管等の巻芯に巻き取られた粘着テープロールとされたのち、所定の幅に輪切り切断されて、製品とされることが多い。
【０００３】
このような粘着テープロールを輪切り切断する際には、粘着テープロールをテープロール支持装置に回転可能に取り付けて、刃物台に回転可能に取り付けた円形刃を粘着テープロールの軸方向と直角方向に前進させ、粘着テープロールおよび円形刃の少なくとも一方を回転駆動して、円形刃を粘着テープロールの胴部の所定の切断位置に押し付けるようにしている（例えば、特許文献１、２参照）。
【０００４】
前記粘着テープロールを回転駆動する場合は、押し付けられた円形刃が従動回転し、円形刃を回転駆動する場合は粘着テープロールが従動回転して、輪切り切断が行われる。粘着テープロールを回転駆動する場合は、円形刃の回転を固定することもある。なお、テープロール支持装置は、粘着テープロールの巻芯に回転可能な軸部材を嵌挿するものと、巻芯の両端部を回転可能な一対のチャック部材で軸方向に挟持するものとがある。
【０００５】
従来、このような粘着テープロールの切断装置では、円形刃を取り付ける回転可能な刃軸を刃物台に片持ち支持し、片持ち支持した刃軸の先端から中心孔を有する円形刃を嵌挿して、嵌挿した円形刃を両側からホルダで挟持して刃軸に固定するようにしている。
【０００６】
なお、特許文献２に記載されたものは、粘着テープロールを輪切り切断するときに、切断分離される分離テープ側へ円形刃が逃げて、テープロール本体側の切断面が凸状に、分離テープ側の切断面が凹状になるのを防止するために、円形刃の先端をテープロール本体側へ傾斜させて、切断部に押し付けるようにしている。
【先行技術文献】
【特許文献】
【０００７】
【特許文献１】特開平５−１６２０９７号公報
【特許文献２】特開平６−１５５３７０号公報
【発明の概要】
【発明が解決しようとする課題】
【０００８】
上述した円形刃の刃軸を片持ち支持した従来の粘着テープロールの切断装置は、刃軸の先端から円形刃を容易に着脱することができるが、円形刃を粘着テープロールの胴部に押し付けたときに、片持ち支持した刃軸に振れが生じ、粘着テープロールを切断する円形刃に刃振れが生じやすい問題がある。このような円形刃の刃振れが生じると、切断面に凹凸が生じ、真直な切断面が得られずに不良品となる。また、切断面に凹凸が生じると、粘着テープロールの粘着剤が滲み出しやすくなり、切断面が汚れたり、粘着剤が円形刃に付着して切断抵抗が大きくなったりする不具合もある。
【０００９】
さらに、片持ち支持した刃軸に取り付けた円形刃は、刃軸の撓みによって、切断分離される分離テープ側へより逃げやすくなるので、テープロール本体側へ傾斜させる円形刃の切り込み傾斜角をより大きくする必要がある。このように円形刃の切り込み傾斜角を大きくすると、粘着テープロールの粘着層と円形刃との接触領域がより増大し、粘着剤が円形刃に付着して切断抵抗がさらに大きくなる。
【００１０】
そこで、本発明の課題は、円形刃の刃振れを抑制するとともに、円形刃のテープロール本体側への切り込み傾斜角を小さくできるようにすることである。
【課題を解決するための手段】
【００１１】
上記の課題を解決するために、本発明は、片面または両面に粘着層を形成した広幅の粘着テープが巻芯に巻き取られた粘着テープロールを回転可能に取り付けるテープロール支持装置と、中心孔を有する円形刃に回転可能な刃軸を嵌挿して円形刃を取り付けた刃物台とからなり、前記粘着テープロールおよび前記円形刃の少なくとも一方を回転駆動して、前記円形刃を取り付けた刃物台を、前記粘着テープロールに向けてその軸方向と直角方向から前進させ、前記円形刃を粘着テープロールの胴部の所定の切断位置に押し付けて、前記粘着テープロールを輪切り状に切断する粘着テープロールの切断装置において、前記回転可能な刃軸を前記刃物台に一対の軸受で両持ち支持し、この両持ち支持した一対の軸受の間で、前記円形刃を刃軸に取り付けた構成を採用した。
【００１２】
すなわち、回転可能な刃軸を刃物台に一対の軸受で両持ち支持し、この両持ち支持した一対の軸受の間で、円形刃を刃軸に取り付けることにより、刃軸の振れや撓みを防止し、円形刃の刃振れを抑制するとともに、円形刃のテープロール本体側への切り込み傾斜角を小さくできるようにした。
【００１３】
前記円形刃を、前記粘着テープロールに向けて前進する刃物台に、その前進を案内する中心線上で取り付けることにより、刃物台の前進方向からのがたつきを防止して、円形刃の刃振れをより抑制することができる。
【００１４】
前記一対の軸受の間で円形刃を刃軸に取り付ける手段を、前記刃軸を少なくとも一方の軸受から抜き取り可能とし、この一方の軸受から刃軸を抜き取った状態で、前記円形刃を前記一対の軸受の間にセットし、こののち、前記抜き取った刃軸を前記円形刃の中心孔に嵌挿して、前記一方の軸受に再挿入するものとすることにより、円形刃を容易に着脱することができる。
【発明の効果】
【００１５】
本発明に係る粘着テープロールの切断装置は、回転可能な刃軸を刃物台に一対の軸受で両持ち支持し、この両持ち支持した一対の軸受の間で、円形刃を刃軸に取り付けるようにしたので、円形刃の刃振れを抑制するとともに、円形刃のテープロール本体側への切り込み傾斜角を小さくすることができるようにして、好適に真直な切断面を得ることができる。
【図面の簡単な説明】
【００１６】
【図１】粘着テープロールの切断装置の実施形態を示す正面図
【図２】図１の側面図
【図３】図１の刃物台を示す切欠き正面図
【図４】図３の切欠き側面図
【図５】図３の上スライド台、回動板および中スライド台の平面レイアウト図
【図６】図３の刃軸に円形刃を取り付ける過程を説明する正面断面図
【発明を実施するための形態】
【００１７】
以下、図面に基づき、本発明の実施形態を説明する。この粘着テープロールの切断装置は、図１および図２に示すように、片面または両面に粘着層を形成した広幅の粘着テープが巻芯に巻き取られた粘着テープロールＡを回転可能に取り付けるテープロール支持装置１と、粘着テープロールＡを輪切り切断する円形刃２１を回転可能に取り付けた刃物台２０とからなる。刃物台２０はテープロール支持装置１の基台２に取り付けられ、粘着テープロールＡの軸方向に沿って案内レール３で案内されるようになっている。
【００１８】
前記テープロール支持装置１は、旋回軸４によって手前側と奥側へ旋回駆動される旋回アーム４ａの両端部に、軸受（図示省略）で回転自在に片持ち支持された２本の軸部材５と、手前側の旋回位置にある一方の軸部材５に軸方向から進退して、その先端部に係合するチャック部材６とを備え、チャック部材６がモータ７とベルト８によって回転駆動されるようになっている。粘着テープロールＡは、奥側の旋回位置にある一方の軸部材５に嵌挿されて取り付けられ、この軸部材５と一緒に手前側へ旋回されたのち、チャック部材６が前進して旋回された一方の軸部材５の先端部に係合する。したがって、チャック部材６を回転駆動することにより、粘着テープロールＡが軸部材５と一緒に回転し、後述するように輪切り切断される。輪切り切断された粘着テープロールＡは、奥側の旋回位置で軸部材５から取り外される。
【００１９】
図３および図４に示すように、前記刃物台２０は、基台２の案内レール３で案内されるベース台２２の上に、下スライド台２３ａ、中スライド台２３ｂおよび上スライド台２３ｃを３段に積み重ね、最上段の上スライド台２３ｃの上に、円形刃２１を取り付ける刃装着部２４を設けたものである。各スライド台２３ａ、２３ｂ、２３ｃは、それぞれの下面側に設けられた一対の平行な案内レール２５ａ、２５ｂ、２５ｃによって、手前側へ旋回された粘着テープロールＡの軸方向と直角方向の前後方向にスライド案内される。一対の各案内レール２５ａ、２５ｂ、２５ｃは、円形刃２１を前進させる刃物台２０の中心線ｍに対して、その両側に対称に敷設されている。
【００２０】
前記上スライド台２３ｃは、後述する回動板２６を介して中スライド台２３ｂに積み重ねられており、上スライド台２３ｃをスライド案内する案内レール２５ｃは回動板２６の上面に取り付けられている。下スライド台２３ａと中スライド台２３ｂの各案内レール２５ａ、２５ｂは、それぞれの下側のベース台２２と下スライド台２３ａに直接取り付けられている。
【００２１】
図５に示すように、前記回動板２６は、刃物台２０の中心線ｍ上で中スライド台２３ｂに設けられた回動軸２７の回りに水平面内で回動可能とされ、後端面が回動軸２７を中心とする凸円弧面２８で形成されており、その下側の中スライド台２３ｂの後端部には、凸円弧面２８を案内する凹円弧面２９が設けられている。また、中スライド台２３ｂの側方には、サーボモータ３０で駆動され、前後方向に向けられたボールねじ３１が取り付けられており、ボールねじ３１の回転で直線移動するナット３１ａと回動板２６が回動レバー３２で連結されている。したがって、ボールねじ３１を駆動することにより、回動レバー３２に連結された回動板２６が、凸円弧面２８と凹円弧面２９とで案内されて水平面内で回動し、後述するように、粘着テープロールＡに対する円形刃２１の切り込み傾斜角が調整される。回動板２６は、切り込み傾斜角が調整されたのち、ボルト２６ａによって回動位置を中スライド台２３ｂに固定される。
【００２２】
図３および図４に示すように、前記回動板２６には、連結部材３３ａを介して上スライド台２３ｃの相対移動をクランプするクランプレバー３３と、中スライド台２３ｂを回動板２６と一緒に手動で前後方向へ移動させる把手３４が取り付けられている。また、中スライド台２３ｂの後面側には、粘着テープロールＡの切断時に、中スライド台２３ｂ、回動板２６および上スライド台２３ｃを一体で自動前進させるシリンダ３５が連結されている。
【００２３】
前記下スライド台２３ａは、同一外径の粘着テープロールＡを切断する間は、その外径寸法に応じて粘着テープロールＡの胴部から適宜離間する前後方向位置でベース台２２に固定される。下スライド台２３ａには、粘着テープロールＡの切断時に円形刃２１が過剰に切り込まないように、中スライド台２３ｂの最前進位置を規制するリミットスイッチ３６も取り付けられている。
【００２４】
前記刃装着部２４は、上スライド台２３ｃの上面に立設された一対の軸支持部材３７に、円形刃２１を取り付ける刃軸３８を、一対の転がり軸受３９ａ、３９ｂで回転自在に両持ち支持したものであり、円形刃２１は、一対の軸受３９ａ、３９ｂの間で刃軸３８に取り付けられ、両面をホルダ４０で挟持されて刃物台２０の中心線ｍ上に固定されている。したがって、後述するように、切断時に円形刃２１が粘着テープロールＡに押し付けられたときに、刃軸３８が振れたり撓んだりすることはなく、円形刃２１の刃振れを防止できるとともに、円形刃２１のテープロール本体側への切り込み傾斜角を小さくすることができる。
【００２５】
前記刃軸３８は各軸支持部材３７の外側面に取り付けられた押さえプレート４１ａ、４１ｂで抜け止めされ、一端側に引き抜き用の掴みボルト４２が取り付けられている。掴みボルト４２が取り付けられた側と反対側の押さえプレート４１ｂには、刃軸３８の回転を止めるねじ４３が取り付け可能とされ、特殊な粘着テープロールを切断する際に、円形刃２１の回転を固定できるようになっている。通常の粘着テープロールＡを切断する際は、回転する粘着テープロールＡに押し付けられる円形刃２１は従動回転する。
【００２６】
また、前記刃装着部２４には、円周方向の切断箇所以外の部位で円形刃２１をカバーする刃カバー４４と、円形刃２１の回転を検出する回転センサ４５と、円形刃２１に付着する粘着テープロールＡの粘着剤を拭き取るフェルト４６も装着されている。フェルト４６は蝶ねじ４７の締め付け調整によって円形刃２１に押圧される。
【００２７】
図６は、前記円形刃２１を刃軸３８に取り付ける過程を示す。刃カバー４２と一方の押さえプレート４１ａが取り外され、刃軸３８が一方の軸受３９ｂから引き抜かれており、この状態で、円形刃２１を一対のホルダ４０で挟持して一対の軸受３９ａ、３９ｂ間にセットする。こののち、刃軸３８を円形刃２１とホルダ４０の中心孔に嵌挿して一方の軸受３９ｂに再挿入し、取り外した刃カバー４２と押さえプレート４１ａを再装着することにより、図３に示したように、円形刃２１が刃軸３８に取り付けられる。
【００２８】
以下に、前記手前側の旋回位置で軸部材５と一緒に回転駆動される粘着テープロールＡを輪切り切断する手順を説明する。まず、粘着テープロールＡの外径寸法に応じて、下スライド台２３ａの前後方向移動位置をベース台２２に固定するとともに、ボールねじ３１を駆動して回動板２６を回動させ、円形刃２１の切り込み傾斜角を粘着テープロールＡに適した所定の角度に設定して、回動位置をボルト２６ａで固定する。こののち、ベース台２２を粘着テープロールＡの軸方向に沿って移動させるとともに、把手３４で中スライド台２３ｂを前進させ、さらに上スライド台２３ｃの前後方向位置を調整して、円形刃２１の先端が所定の切断位置で粘着テープロールＡの胴部に近接するようにセットし、クランプレバー３３で上スライド台２３ｃを回動板２６にクランプする。最後に、シリンダ３５を作動して、中スライド台２３ｂ、回動板２６および上スライド台２３ｃを一体で前進させることにより、粘着テープロールＡの胴部に押し付けられる円形刃２１が従動回転して、粘着テープロールＡが輪切り切断される。シリンダ３５の前進作動は、輪切り切断が終了する位置で、リミットスイッチ３６によって自動的に停止する。
【００２９】
なお、２回目以降の切断を行う際は、一体化された中スライド台２３ｂ、回動板２６および上スライド台２３ｃをシリンダ３５で引き戻し、こののち、ベース台２２を軸方向に移動させるとともに、把手３４で中スライド台２３ｂを前進させ、次の切断位置に円形刃２１の先端をセットして、シリンダ３５の前進作動による同様の輪切り切断を繰り返す。
【００３０】
上述した実施形態では、粘着テープロール側を回転駆動して、円形刃を従動回転させるものとしたが、本発明に係る粘着テープロールの切断装置は、円形刃を回転駆動して、粘着テープロールを従動回転させるものとすることもできる。
【００３１】
また、上述した実施形態では、一体の刃軸を一方の軸受から抜き取って、一対の軸受間で円形刃を取り付けるようにしたが、刃軸を軸方向で分割可能として、一方の分割刃軸を他方の分割刃軸と軸方向で離間させ、この離間させた両分割刃軸間に円形刃をセットしたのち、両分割刃軸を合体させて円形刃を一対の軸受間に取り付けることもできる。
【符号の説明】
【００３２】
Ａ  粘着テープロール
１  テープロール支持装置
２  基台
３  案内レール
４  旋回軸
４ａ  旋回アーム
５  軸部材
６  チャック部材
７  モータ
８  ベルト
２０  刃物台
２１  円形刃
２２  ベース台
２３ａ  下スライド台
２３ｂ  中スライド台
２３ｃ  上スライド台
２４  刃装着部
２５ａ、２５ｂ、２５ｃ  案内レール
２６  回動板
２６ａ  ボルト
２７  回動軸
２８  凸円弧面
２９  凹円弧面
３０  サーボモータ
３１  ボールねじ
３１ａ  ナット
３２  回動レバー
３３  クランプレバー
３３ａ  連結部材
３４  把手
３５  シリンダ
３６  リミットスイッチ
３７  軸支持部材
３８  刃軸
３９ａ、３９ｂ  軸受
４０  ホルダ
４１ａ、４１ｂ  押さえプレート
４２  掴みボルト
４３  ねじ
４４  刃カバー
４５  回転センサ
４６  フェルト
４７  蝶ねじ
【図１】
2013006234.tif 000003
【図２】
2013006234.tif 000004
【図３】
2013006234.tif 000005
【図４】
2013006234.tif 000006
【図５】
2013006234.tif 000007
【図６】
2013006234.tif 000008